(57)【要約】      （修正有）【課題】装着したまま屋外履き、室内履きを履くことが可能で、屋外、屋内を問わず常時着用した状態で生活することが可能な鼻緒付き中敷を提供する。【解決手段】鼻緒付き中敷８０ａは、足裏の少なくとも前部に敷かれ足裏の大きさよりも小さい中敷部３０と、中敷部から上方に立ち上がり、足の親指と人差し指の股に挿入される鼻緒坪部３２と、鼻緒坪部の上部に設けられるストッパ部４０ａと、を有し、鼻緒坪部が足の親指と人差し指の股を刺激することを特徴とする。親指渓部への刺激が常時脳に伝達され、脳の活性化、及び認知症の予防を行うことができる。また、鼻緒坪部が親指渓部のツボを刺激して血行促進や身体への好ましい効果を得ることができる。さらに、鼻緒坪部が親指を外側に押圧することで、外反母趾の防止や改善を図ることができる。【選択図】図１
0003210760.tif 000002
【実用新案登録請求の範囲】
【請求項１】
足裏の少なくとも前部に敷かれ足裏の大きさよりも小さい中敷部と、
前記中敷部から上方に立ち上がり、足の親指と人差し指の股に挿入される鼻緒坪部と、
前記鼻緒坪部の上部に設けられるストッパ部と、を有し、
前記鼻緒坪部が足の親指と人差し指の股を刺激することを特徴とする鼻緒付き中敷。
【請求項２】
ストッパ部が、板状であることを特徴とする請求項１記載の鼻緒付き中敷。
【請求項３】
ストッパ部が、甲側に延びたことを特徴とする請求項１記載の鼻緒付き中敷。
【請求項４】
ストッパ部が足の親指と人差し指の付け根に位置する太衝近傍にまで延び、前記太衝近傍を押圧するツボ押し部を備えたことを特徴とする請求項１記載の鼻緒付き中敷。
【請求項５】
ストッパ部が、甲側に向けてＹ字状を呈することを特徴とする請求項１記載の鼻緒付き中敷。
【考案の詳細な説明】
【技術分野】
【０００１】
本考案は、足の親指と人差し指の股に挟んで刺激する鼻緒付き中敷に関するものである。
【背景技術】
【０００２】
古くの日本人は下駄や草履等の履物を利用していた。これら下駄や草履等の履物は足の親指と人差し指の股（以後、この部分を親指渓部と称する）に鼻緒を挟んで保持するため、常に親指渓部が刺激され脳や健康に好ましい影響を与えてきた。しかしながら、現代の西洋靴は足全体を包み込むため鼻緒が存在せず、親指渓部が刺激されることも無い。この点に関し、下記［特許文献１］には、足の５本の指の全ての股に鼻緒を設けた健康履物に関する発明が記載されている。
【先行技術文献】
【特許文献】
【０００３】
【特許文献１】特開２００７−２３６８９１号公報
【考案の概要】
【考案が解決しようとする課題】
【０００４】
しかしながら、［特許文献１］に記載の発明は所謂布草履であり屋外での使用は難しく、また全ての外履き用の靴に適用させることも困難である。
【０００５】
本考案は上記事情に鑑みてなされたものであり、装着したまま屋外履き、室内履きを履くことが可能で、屋外、屋内を問わず常時着用した状態で生活することが可能な鼻緒付き中敷を提供することを目的とする。
【課題を解決するための手段】
【０００６】
本考案は、
（１）足裏の少なくとも前部に敷かれ足裏の大きさよりも小さい中敷部３０と、
前記中敷部３０から上方に立ち上がり、足の親指と人差し指の股に位置する鼻緒坪部３２と、
前記鼻緒坪部３２の上部に設けられるストッパ部４０ａ〜４０ｄと、を有し、
前記鼻緒坪部３２が足の親指と人差し指の股を刺激することを特徴とする鼻緒付き中敷８０ａ〜８０ｄを提供することにより、上記課題を解決する。
（２）ストッパ部４０ａが、板状であることを特徴とする上記（１）記載の鼻緒付き中敷８０ａを提供することにより、上記課題を解決する。
（３）ストッパ部４０ｂが、後方に延びたことを特徴とする上記（１）記載の鼻緒付き中敷８０ｂを提供することにより、上記課題を解決する。
（４）ストッパ部４０ｃが足の親指と人差し指の付け根に位置する太衝近傍にまで延び、前記太衝近傍を押圧するツボ押し部４２を備えたことを特徴とする上記（１）記載の鼻緒付き中敷８０ｃを提供することにより、上記課題を解決する。
（５）ストッパ部４０ｄが、後方に向けてＹ字状を呈することを特徴とする上記（１）記載の鼻緒付き中敷８０ｄを提供することにより、上記課題を解決する。
【考案の効果】
【０００７】
本考案に係る鼻緒付き中敷は、着用したまま他の履物の着用、履き替えが可能であり、屋外、屋内を問わず鼻緒付き中敷を着用したまま生活することが可能となる。これにより、日常生活において親指渓部が常時刺激され、使用者の脳や身体への好ましい影響を効果的に得ることができる。
【図面の簡単な説明】
【０００８】
【図１】本考案に係る第１の形態の鼻緒付き中敷を示す図である。
【図２】本考案に係る第２の形態の鼻緒付き中敷を示す図である。
【図３】本考案に係る第３の形態の鼻緒付き中敷を示す図である。
【図４】本考案に係る第４の形態の鼻緒付き中敷を示す図である。
【考案を実施するための形態】
【０００９】
本考案に係る鼻緒付き中敷の実施の形態について図面に基づいて説明する。ここで、図１（ａ）、（ｂ）は本考案に係る第１の形態の鼻緒付き中敷８０ａの側面図及び上面図であり、図２（ａ）、（ｂ）は本考案に係る第２の形態の鼻緒付き中敷８０ｂの側面図及び上面図であり、図３（ａ）、（ｂ）は本考案に係る第３の形態の鼻緒付き中敷８０ｃの側面図及び上面図であり、図４（ａ）、（ｂ）は本考案に係る第４の形態の鼻緒付き中敷８０ｄの側面図及び上面図である。尚、図１〜図４の破線は使用者の足を示している。
【００１０】
本考案に係る鼻緒付き中敷８０ａ〜８０ｄは、略平坦な板状の中敷部３０と、この中敷部３０から上方に立ち上がる鼻緒坪部３２と、この鼻緒坪部３２の上部に設けられたストッパ部４０ａ〜４０ｄと、を有している。尚、鼻緒付き中敷８０ａ〜８０ｄの材質に関しては特に限定は無く、シリコンゴム等の比較的柔軟な合成樹脂やプラスチック等の硬質な合成樹脂の他、麻や布紐、その他の素材を用いることができる。また、複数の素材を組み合わせて構成することもできる。
【００１１】
また、鼻緒付き中敷８０ａ〜８０ｄの中敷部３０は、人間の足裏の少なくとも前部に敷かれるものであり、人間の足の親指渓部の周囲を網羅していれば如何なる形状でも構わない。尚、図１〜図４に示すように、母子球、指尖球の一部を網羅することが特に好ましい。また、足の前部のみならず足全体を網羅しても良い。ただし、中敷部３０は使用者の足裏の大きさよりも小さくし、足裏面より外側に大きく突出しないサイズとする。これにより、鼻緒付き中敷８０ａ〜８０ｄを装着したままで他の履物の着用が可能となる。
【００１２】
また、鼻緒坪部３２は使用者の足の親指と人差し指との股（親指渓部）に挿入され、ここを刺激するものであり、親指と人差し指の股に沿うように若干後方に傾けて形成することが好ましい。また、鼻緒坪部３２の径は使用者が鼻緒坪部３２の存在を意識できる太さとすることが好ましい。尚、鼻緒坪部３２の径を太くすれば、それだけ親指渓部への刺激は強くなる。また、鼻緒坪部３２はその材質によって親指渓部に対する刺激の強弱が異なる。即ち、鼻緒坪部３２に柔軟な材質のものを使用すれば親指渓部への刺激は弱いものとなり、逆に硬質な材質のものを使用すれば親指渓部への刺激は強いものとなる。
【００１３】
また、この鼻緒坪部３２の上部には前述のようにストッパ部４０ａ〜４０ｄが設けられる。このストッパ部４０ａ〜４０ｄは鼻緒付き中敷８０ａ〜８０ｄが親指渓部から抜け落ちるのを防止する機能を有する。そして、第１の形態の鼻緒付き中敷８０ａのストッパ部４０ａは、図１に示すように板状を呈している。尚、図１ではストッパ部４０ａの形状を円形としたが、ストッパ部４０ａの形状は特にこれに限定されるわけではなく、星形や、ハート、スペード、クラブ、ダイヤ等、如何なる形状としても良い。
【００１４】
また、第２の形態の鼻緒付き中敷８０ｂのストッパ部４０ｂは、図２に示すように、鼻緒坪部３２から足の甲側に向けて延びた形状を呈している。このストッパ部４０ｂは使用者の足の甲に掛かるため、板状のストッパ部４０ａよりも高い抜け止め性能を有している。
【００１５】
また、第３の形態の鼻緒付き中敷８０ｃのストッパ部４０ｃは、図３に示すように、ストッパ部４０ｃが平均的な人間の太衝近傍にまで延び、その先端部分に太衝近傍を押圧するツボ押し部４２を有している。ここで、太衝とは足の親指と人差し指の中足骨の後端で接合部の前に位置するツボである。尚、この第３の形態の鼻緒付き中敷８０ｃは、例えば全体を合成樹脂で形成し、ストッパ部４０ｃの弾性力によって使用者の太衝にツボ押し部４２を常時押圧することが好ましい。
【００１６】
また、第４の形態の鼻緒付き中敷８０ｄのストッパ部４０ｄは、図４に示すように足の甲の両外側に向けて延びたＹ字状を呈し、鼻緒を連想させる形状を有している。このＹ字状のストッパ部４０ｄは、第２の形態のストッパ部４０ｂと同様に高い抜け止め性能を有するとともに、前述のように鼻緒を連想させるため屋内等で素足に装着しても外見上の違和感を軽減することができる。尚、ストッパ部４０ｄも鼻緒付き中敷８０ｄを装着したまま他の履物を着用可能なように鼻緒に形成することが好ましい。
【００１７】
次に、本考案に係る鼻緒付き中敷８０ａ〜８０ｄの使用方法を説明する。先ず、鼻緒付き中敷８０ａ〜８０ｄの中敷部３０を足裏側としながら、鼻緒坪部３２を使用者の足の親指と人差し指の間の奥まで差し入れる。これにより、鼻緒坪部３２が使用者の親指渓部を刺激する。尚、鼻緒付き中敷８０ａ〜８０ｄの着用は素足で行っても、靴下やストッキングを着用した上から行っても良い。また、鼻緒付き中敷８０ａ〜８０ｄを着用した後に、靴下やストッキングを着用するようにしても良い。尚、本考案に係る鼻緒付き中敷８０ａ〜８０ｄは基本的に使用者の両足にそれぞれ着用して使用する。
【００１８】
また、本考案に係る鼻緒付き中敷８０ａ〜８０ｄは、装着したまま靴等の屋外履やスリッパ等の室内履きを着用可能である。これにより、使用者は屋外、屋内を問わず鼻緒付き中敷８０ａ〜８０ｄを着用したまま生活することが可能となる。これにより、親指渓部への刺激が常時脳に伝達され、脳の活性化、及び認知症の予防を行うことができる。また、鼻緒坪部３２が親指渓部のツボを刺激して血行促進や身体への好ましい効果を得ることができる。さらに、親指渓部に鼻緒坪部３２が存在することで、使用者は歩行の際に鼻緒坪部３２を意識することとなり、転倒の防止を図ることができる。またさらに、鼻緒坪部３２が親指を外側に押圧することで、外反母趾の防止や改善を図ることができる。
【００１９】
また、特に第３の形態の鼻緒付き中敷８０ｃではツボ押し部４２が使用者の太衝近傍を押圧するため、上記の効果に加えて太衝のツボ押しによる身体への好ましい効果を得ることができる。
【００２０】
以上のように、本考案に係る鼻緒付き中敷８０ａ〜８０ｄは、着用したまま他の履物の着用、履き替えが可能であり、屋外、屋内を問わず鼻緒付き中敷８０ａ〜８０ｄを着用したまま生活することが可能となる。これにより、親指渓部が常時刺激され、使用者の脳や身体への好ましい影響を効果的に得ることができる。
【００２１】
尚、上記に示した鼻緒付き中敷８０ａ〜８０ｄの各部の形状、寸法、構成、デザイン等は一例であるから、上記の例に限定されるわけでは無く、本考案は本考案の要旨を逸脱しない範囲で変更して実施することが可能である。
【符号の説明】
【００２２】
３０    中敷部
３２    鼻緒坪部
４０ａ〜４０ｄ  ストッパ部
４２    ツボ押し部
８０ａ〜８０ｄ  鼻緒付き中敷
【図１】
0003210760.tif 000003
【図２】
0003210760.tif 000004
【図３】
0003210760.tif 000005
【図４】
0003210760.tif 000006